(57)【要約】【課題】本発明は、受電方式の切り替えミスを低減する空気調和機を提供することを目的とする。【解決手段】商用電源を供給するための室内電源コードと、マイコンを有する電気箱と、室内熱交換器と、室内送風ファンとを有する室内機と、商用電源を供給するための室外電源コードと、室外熱交換器と、室外送風ファンと、圧縮機とを有する室外機とを備え、電気箱は、室外電源コードから供給された商用電源をマイコンへ供給する室内受電と、室内電源コードから供給された商用電源をマイコンへ供給する室外受電とを切り替えるスイッチを有し、スイッチは、室内電源コードが電気箱に取り付けられると室内受電に切り替わり、室内電源コードが電気箱から取り外されると室外受電に切り替わる空気調和機。【選択図】図３
2015140995.tif 000002
【特許請求の範囲】
【請求項１】
商用電源を供給するための室内電源コードと、マイコンを有する電気箱と、室内熱交換器と、室内送風ファンとを有する室内機と、
商用電源を供給するための室外電源コードと、室外熱交換器と、室外送風ファンと、圧縮機とを有する室外機とを備え、
前記電気箱は、前記室外電源コードから供給された商用電源を前記マイコンへ供給する室内受電と、前記室内電源コードから供給された商用電源を前記マイコンへ供給する室外受電とを切り替えるスイッチを有し、
前記スイッチは、前記室内電源コードが前記電気箱に取り付けられると前記室内受電に切り替わり、前記室内電源コードが前記電気箱から取り外されると前記室外受電に切り替わる空気調和機。
【請求項２】
前記電気箱は、前記室内受電回路が前記マイコンへ供給する電圧値を設定する室内受電設定回路と、前記室外受電回路が前記マイコンへ供給する電圧値を設定する室外受電設定回路とを有し、
前記室内受電設定回路で設定される電圧値と前記室外受電設定回路で設定される電圧値は異なることを特徴とする請求項１に記載の空気調和機。
【発明の詳細な説明】
【技術分野】
【０００１】
本発明は、空気調和機に関する。
【背景技術】
【０００２】
空気調和機には室内機側に電源コードを配置した室内受電方式と室外機側から室内機側へ電源を供給する室外受電方式の二つの方式がある。
【０００３】
特許文献１には、室内機又は室外機の何れかに供給された商用電源を、室内側受電の場合は、室内機と室外機とを接続する接続ケーブルにより、室内側から室外側の室外ＡＣ−ＤＣコンバータ、室外送風機及び冷媒圧縮機のモーターへ供給し、室外側受電の場合は、室内機と室外機とを接続する接続ケーブルにより、室外側から室内側の室内ＡＣ−ＤＣコンバータ、室内送風機へ供給する空気調和機が記載されている。
【先行技術文献】
【特許文献】
【０００４】
【特許文献１】特開２０１３−１４８３０３
【発明の概要】
【発明が解決しようとする課題】
【０００５】
ここで、同一の電子制御部で室内受電方式と室外受電方式に対応しようとすると、回路構成の違いにより、コネクタ接続などで回路構成を切り替えることや電気基板内のマイコンに受電方式の切り替えを知らせる回路が必要である。
【０００６】
そして、受電方式の切り替えに合わせて、スイッチの切り替え、又は、コネクタの差し替え等、人の手によって切り替え作業を行う必要がある。そのため、切り替えミスにより受電方式が合わなくなる課題がある。
【０００７】
そこで、本発明は、受電方式の切り替えミスを低減する空気調和機を提供することを目的とする。
【課題を解決するための手段】
【０００８】
本発明が解決しようとする課題は、商用電源を供給するための室内電源コードと、マイコンを有する電気箱と、室内熱交換器と、室内送風ファンとを有する室内機と、商用電源を供給するための室外電源コードと、室外熱交換器と、室外送風ファンと、圧縮機とを有する室外機とを備え、電気箱は、室外電源コードから供給された商用電源をマイコンへ供給する室内受電と、室内電源コードから供給された商用電源をマイコンへ供給する室外受電とを切り替えるスイッチを有し、スイッチは、室内電源コードが電気箱に取り付けられると室内受電に切り替わり、室内電源コードが電気箱から取り外されると室外受電に切り替わることで達成される。
【発明の効果】
【０００９】
本発明によれば、受電方式の切り替えミスを低減する空気調和機を提供することができる。
【図面の簡単な説明】
【００１０】
【図１】空気調和機のサイクル構成図である。
【図２】室内機の筺体を取り除いた状態における斜視図である。
【図３】室内機電子制御部の回路構成の概略図である。
【図４】室内機電気箱の概略図である。
【図５】電源コードバンドと切り替えスイッチの概略図である。
【発明を実施するための形態】
【００１１】
本発明の実施形態について、適宜図面を参照しながら詳細に説明する。なお、各図において共通する部分には同一の符号を付し、重複した説明を省略する。
【００１２】
図１は空気調和機のサイクル構成図である。冷房運転時は、圧縮機３４より吐出された高温、且つ、高圧の冷媒は、四方弁３５を介して室外熱交換機３７に流入する。室外熱交換機３７に流入した冷媒は、室外送風ファン３８によって送られる室外の空気と熱交換することで、凝縮されて液冷媒となる。液冷媒は、膨張弁３６を通過することで低温低圧の二相冷媒になり、室内熱交換器３９に流入する。室内熱交換器３９に流入した低温低圧の二相冷媒は、室内送風ファン４０によって送られる室内の空気と熱交換する。このとき、室内熱交換器３９に送られた室内の空気は、室内熱交換器３９に流入した低温低圧の二相冷媒によって冷却され、吹出口３から室内に吐出される。吹出口３から室内に吐出される空気は、吸込口２における空気の温度よりも低いため、室内の温度を下げることができる。室内熱交換器３９で熱交換された冷媒は四方弁３５を介して再び圧縮機３４に戻る。
【００１３】
図２は室内機の筺体を取り除いた状態における斜視図である。図２に示すように、室内熱交換器３９と室内送風ファン４０は室内機（図示せず）に配置されている。さらに、室内機には、室内熱交換器３９の横に電気箱２０が設置されている。尚、圧縮機３４と室外熱交換器２と室外送風ファン３８と膨張弁３６は、室外機（図示せず）に配置されている。
【００１４】
図３は、室内機電子制御部の回路構成の概略図である。室内機は、室内外電源線及び室内外通信線で室外機と接続された電子制御部１０を備える。又、電子制御部１０は室内の室内電源コード１２に接続可能な構成となっている。
【００１５】
室内受電方式の場合、室内電源コード１２から電子制御部１０へ電気が供給される。そして、供給された電気は電源回路を通して所定の電圧値に変換され、電子制御部１０内のマイコン１３等を動作させる。例えば、電子制御部１０を動作させるために、５Ｖ〜２０Ｖ程度の低電圧直流電源が作成される。
【００１６】
次に、室内外受電方式の切り替え方法について説明する。図４は、室内機電気箱の概略図である。
【００１７】
空気調和機への電源供給方法として、室内受電方式と室外受電方式がある。ここで、国や地域によって用いられる受電方式が異なるため、同一の機種であっても、使われる国や地域によって、受電方式を切り替える必要がある。そのため、空気調和機の取り付け工事において、受電方式を切り替える場合、受電方式の切り替えミスが発生する可能性がある。
【００１８】
そこで、本実施例に係る空気調和機は、室内機に組み込まれた電気箱２０に室内電源コード１２を取り付けることができる構造とし、室内電源コード１２を電気箱２０に取り付けると室内受電方式に切り替わり、室内電源コード１２を電気箱２０から取り外すと室外受電方式に切り替わるようにしている。
【００１９】
すなわち、本実施例に係る空気調和機は、室内のコンセントより商用電源を供給するための室内電源コード１２と、マイコン１３を有する電気箱２０と、室内熱交換器３９と、室内送風ファン４０とを有する室内機と、室内のコンセントより商用電源を供給するための室外電源コードと、室外熱交換器２と、室外送風ファン３８と、圧縮機３４とを有する室外機とを備え、電気箱２０は、室外電源コードから供給された商用電源をマイコン１３へ供給する室内受電（室内受電方式）と、室内電源コード１２から供給された商用電源をマイコン１３へ供給する室外受電（室外受電方式）とを切り替えるスイッチ１１を有し、スイッチ１１は、室内電源コード１２が電気箱２０に取り付けられると室内受電（室内受電方式）に切り替わり、室内電源コード１２が電気箱２０から取り外されると室外受電（室外受電方式）に切り替わる。
【００２０】
本実施例によれば、電源コード２１の取り付けによって、スイッチ１１のＯＮとＯＦＦが切り替わるので、受電方式の切り替えミスを防止することができる。なお、本実施例では、スイッチがオン状態のときに室内受電（室内受電方式）となり、スイッチがオフ状態のときに室外受電（室外受電方式）となるようにしている。
【００２１】
さらに、マイコン１３と室内受電設定回路及び室外受電設定回路との接続をスイッチ１１によって切り替え可能な構成としている。そして、本実施例に係る空気調和機は、電気箱２０は、マイコン１３へ供給する電圧値を設定する室内受電設定回路と、マイコン１３へ供給する電圧値を設定する室外受電設定回路とを有し、室内受電設定回路で設定される電圧値と室外受電設定回路で設定される電圧値は異なる。
【００２２】
本実施例によれば、マイコン１３は室内受電方式と室外受電方式のうち、どちらの受電方式であるかマイコン１３に供給される電圧値によって判別することができる。
【００２３】
例えば、室内受電方式の場合にマイコン１３へ入力する電圧値を約５Ｖとし、室外受電方式の場合にマイコン１３へ入力する電圧値を約０Ｖとすることで、マイコン１３に現在の受電方式の認識を変更させることができる。
【００２４】
そして、室内受電方式の場合、マイコン１３は突入電流保護回路を動作させて室内外電源線を通して、室内機から室外機へ電気の供給を行う。一方、室外受電方式の場合、室内電源コード１２は電子制御部１０に接続されず、室外機より室内外電源線を通して電源電圧が供給され、ＯＦＦされたスイッチ１１を通して室内機の電子制御部１０のマイコン１３へ電気が供給される。
【００２５】
このように、本実施例では室内受電方式と室外受電方式を切り替える場合に、スイッチ１１を切り替えることで、回路構成及び電子制御部１０内のマイコン１３の受電方式の認識変更を行う。
【００２６】
なお、スイッチ１１は回路の切り替えであるため、この部分はコネクタなどで経路を変更する方式でもよい。また、スイッチ１１を電気基板上に設け、手作業でスイッチ１１を切り替える方式でもよい。
【００２７】
図５は、電源コードバンドと切り替えスイッチの概略図である。本実施例では、図３に示すようにスイッチ１１を２回路２接点構成とし、図５に示すように、スイッチ１１を電気箱２０のうち、電源コードバンド２２が取り付けられる位置の近くに配置している。そして、室内電源コード１２を電源コードバンド２２に取り付ける構造とし、室内電源コード１２の代わりに電源コードバンド２２を電気箱２０に取り付けるとスイッチ１１がＯＮとなり、室内受電方式に切り替わり、室内電源コード１２を電気箱２０から取り外すとスイッチ１１がＯＦＦとなり、室外受電方式に切り替わるようにしている。本実施例では、電源コードバンド２２をスライドさせることで、スイッチ１１が切り替わるようにしている。
【００２８】
そして、２回路２接点構成のスイッチ１１のうち、１回路は電子制御部内の電源電圧供給の回路構成を変更し、もう１回路はマイコン１３へ入力する設定電圧値を変更する構成とし、室内機の室内外受電方式の自動切り替えを達成している。
【００２９】
なお、電源コードバンド２２の代わりに、室内電源コード１２自体の取り付け及び取り外しによって、受電方式を切り替えるようにしてもよい。
【符号の説明】
【００３０】
１０  電子制御部
１１  スイッチ
１２  室内電源コード
１３  マイコン
２０  電気箱
２２  電源コードバンド
【図１】
2015140995.tif 000003
【図２】
2015140995.tif 000004
【図３】
2015140995.tif 000005
【図４】
2015140995.tif 000006
【図５】
2015140995.tif 000007